(57)【特許請求の範囲】
【請求項１】
実質的に平坦な平面壁(15)を備え、オリフィス(13)が設けられた消耗品用パッケージであって、
前記パッケージには開閉具(1)が備えられており、前記開閉具(1)は、
成型材で一体成形に構成されて前記平面壁(15)に固定された本体部(2)であって、オリフィス(13)と対向して配置された孔(30)が形成され、平面壁(15)のオリフィス(13)の縁部(19)に水密の態様で固定されたプレート(20)を有する本体部(2)と、
パッケージの内部に向かって開口する前記プレート(20)に連接され、前記孔(30)を水密の態様で閉塞できる揚蓋(40)と
を備えており、
前記開閉具(1)はさらに、前記揚蓋(40)に連結されたアーム(50)を備えており、
該アーム(50)は所定の位置で移動を阻止する阻止手段と協働することにより、該阻止手段が前記揚蓋(40)を水密の閉塞位置に維持し、アーム(50)が阻止手段から離れると揚蓋(40)が前記パッケージの内部に向かって旋回して揚蓋(40)を解放するよう構成されており、
さらにまた開閉具１は、前記本体部(2)及び前記アーム(50)とは別個のカバー(80)を備えており、
該カバー(80)は、前記揚蓋(40)を初めて開封する際に必然的に破壊されるセキュリティ用蓋材(100、104)を備えることで、該セキュリティ用蓋材(100、104)が破損していなければ、パッケージが事前に開封されていないことが保証され、前記蓋材が前記阻止手段の一部を形成し、
前記カバー(80)は前記プレート(20)と連結するための手段を備え、前記カバー(80)が前記プレートに連結されたとき前記パッケージの外部に位置しているので、前記平面壁(15)の領域が前記カバー(80)と前記プレート(20)間に挟まれてなることを特徴とするパッケージ。
【請求項２】
請求項１に記載のパッケージであって、スナップロックすることによって前記プレート(20)が平面壁(15)における前記オリフィス(13)の縁部(19)に固定されることを特徴とするパッケージ。
【請求項３】
請求項２に記載のパッケージであって、前記プレート(20)は、平面壁(15)における前記オリフィス(13)の縁部(19)に対してスナップロックする第一タブ群(29)又はスナップロック用のビード(129)を備えることを特徴とするパッケージ。
【請求項４】
請求項１ないし３のいずれか一に記載のパッケージであって、前記プレート(20)は本質的に前記平面壁(15)の内面(17)に対接して支持されることを特徴とするパッケージ。
【請求項５】
請求項４に記載のパッケージであって、前記プレート(20)は、前記揚蓋(40)が支持されているので、該揚蓋(40)と該プレート(20)間の接合部が水密にしてなる第一ジョイント部(91)を備えることを特徴とするパッケージ。
【請求項６】
請求項４又は５に記載のパッケージであって、前記プレート(20)は、前記内面(17)が支持されているので、前記平面壁(15)と前記プレート(20)間の接合部が水密にしてなる第二ジョイント部(92)を備えることを特徴とするパッケージ。
【請求項７】
請求項６に記載のパッケージであって、前記第二ジョイント部(92)は、前記内面(17)に対して吸盤として作用可能な２つのリップ(921、922)を備えるリング状のジョイント部であることを特徴とするパッケージ。
【請求項８】
請求項１ないし７のいずれか一に記載のパッケージであって、前記連結手段は前記カバー(80)から延在するタブ(88)であって、かつ該タブ(88)の端部及び第二タブ群(28)の端部に位置する歯によってプレート(20)における該第二タブ群(28)とスナップロック可能なタブ(88)であることを特徴とするパッケージ。
【請求項９】
請求項３に記載のパッケージであって、前記連結手段は前記カバー(80)から延在するタブ(88)であり、かつ前記タブ(88)の端部に位置する溝(888)と前記スナップロック用ビード(129)の端部に位置する第二ビード(298)とによって前記スナップロック用ビード(129)とスナップロック可能なタブ(88)であり、また前記スナップロック用ビード(129)は、前記平面壁(15)とのスナップロック用としての役割を果たす第一ビード(295)も備えることを特徴とするパッケージ。
【請求項１０】
請求項１ないし９のいずれか一に記載のパッケージであって、前記揚蓋が水密の閉塞位置にある状態に前記アーム(50)の移動を阻止する前記阻止手段は前記カバー(80)に連結されてなることを特徴とするパッケージ。
【請求項１１】
請求項１０に記載のパッケージであって、前記阻止手段がさらに、前記カバー(80)に連結されていて、かつ前記アーム(50)及び前記揚蓋(40)を水密の閉塞位置に位置決めし直す切込み(812)を備えることを特徴とするパッケージ。
【請求項１２】
請求項１ないし１１のいずれか一に記載のパッケージであって、前記カバー(80)はＵ字型であり、また前記アーム(50)は、閉塞位置にあるとき、前記Ｕ字の中央領域において平面壁(15)に対して折り返されることを特徴とするパッケージ。
【請求項１３】
請求項１２に記載のパッケージであって、前記セキュリティ蓋材は、前記カバー(80)におけるＵ字型の中央領域を完全に覆う舌片(100)と、該舌片(100)と前記カバー(80)を連結するリンク(104)とを備えることを特徴とするパッケージ。
【請求項１４】
請求項１ないし１３のいずれか一に記載のパッケージであって、該パッケージは、前記揚蓋(40)が開位置にある状態で前記アーム(50)の移動を阻止する阻止手段(52、82)を備えることを特徴とするパッケージ。
【請求項１５】
請求項１ないし１４のいずれか一に記載のパッケージであって、前記揚蓋(40)及び前記プレート(20)は、可撓性を備えるよう成型された薄肉部(41)に連接され、ヒンジを形成することを特徴とするパッケージ。
【発明の詳細な説明】
【技術分野】
【０００１】
本発明は、実質的に平坦な平面壁を備えオリフィスを設けた消耗品用パッケージに関し、具体的にはこのようなパッケージ用の開閉具に関する。
【背景技術】
【０００２】
このようなパッケージは例えば金属缶であって、殆どの場合、２回圧延のスチール又はアルミニウムで作製され、液体飲料のような消耗品を収容するように構成された、実質的に円筒状の容器である。以下の説明において、「内側」及び「外側」とは、それぞれ、パッケージに向けられた部品の部分又はパッケージ内に位置する部品の部分と、パッケージに向けられた部品の部分又はパッケージ外に位置する部品の部分とを指す。金属缶は従来技術及び本発明におけるパッケージの一例として用いている。また液体飲料は消耗品の一例として用いている。
【０００３】
金属缶の下端は閉塞されて、上面はカップとなっている。このカップの平坦部分は、蓋材と、蓋材の近傍に位置する取付位置によってカップに取り付けられている舌片とを備えている。この取付位置に対する梃子の運動を通じて舌片が蓋材を押圧して、事前に切り込みを入れた蓋材周縁のプレカット部分を破断させる。この切り込み部分が破断されると、蓋材がオリフィスを形成し、このオリフィスを通じて金属缶内の液体が、例えば消費のために流出可能となる。次に蓋材は金属缶内へ折り返されるが、カップ周縁の破断されていない部分によってカップに付着した状態で保持されている。
【０００４】
このような金属缶の欠点は、金属缶が一旦開封されると再度閉塞できないことである。このため、金属缶が横転すると液体は金属缶から流出してしまう。また異物（虫、埃）がカップのオリフィスを通じて侵入することで液体を汚染させてしまう。さらにまた、液体がガスを含有するものであれば、数時間後には飲料内からガスが抜けてしまう。このような欠点のため、利用者は金属缶を開封したら直ぐに金属缶の内容物を全部使い切らざるを得なくなる。
【０００５】
一方でカップのリムに被せる樹脂製カバーが知られている。しかしながら、このようなカバーでは、金属缶からカップとカバー間の隙間へ液体が逃げてしまい、カバーを開けたときに不都合なことになる。またこのようなカバーは、ガス圧がカバーをカップから押し上げてしまうことがあるので、水密性が十分とは言えない。
【０００６】
また米国特許出願公開第２００９／０３２５３１号明細書（特許文献１）に記載されるような回転型のカバーも知られている。この樹脂製カバーは金属缶のリム部分に被さり、カップの上面に対接して平坦にされ、金属缶の中心軸周りで旋回可能であり、蓋材を開封することにより作られたオリフィスを開閉するものである。しかしながら、いずれのカバーも水密性が十分とは言えない。
【先行技術文献】
【特許文献】
【０００７】
【特許文献１】米国特許出願公開第２００９／０３２５３１号明細書
【発明の概要】
【発明が解決しようとする課題】
【０００８】
本発明の目的は、開閉具を備え、この開閉具によって開封され容易に再閉塞可能なパッケージであって、完全に水密性を有し、利用者が簡単に取り扱えるパッケージを提供することにある。
【課題を解決するための手段及び発明の効果】
【０００９】
上記目的は、実質的に平坦な平面壁を備え、かつオリフィスが設けられた消耗品用パッケージに開閉具を備えることで達成される。この開閉具は、成型材で作製され前記平面壁に固定された一体成型の本体部であって、前記オリフィスと対向して配置された孔が形成されており、平面壁の前記オリフィスの縁部に水密の態様で固定されたプレートを有する本体部と、パッケージの内部に向かって開口するこのプレートに連接され、前記孔を水密の態様で閉塞できる揚蓋と、を備えている。さらに開閉具は、前記揚蓋に連結されたアームであって、所定の位置でアームの移動を阻止する阻止手段と協働し、この阻止手段が前記揚蓋を水密の閉塞位置に維持し、アームが前記阻止手段から離れると揚蓋が前記パッケージの内部に向かって旋回して揚蓋を開放するアームを備えることを特徴とする。さらにまた開閉具は、前記本体部及び前記アームとは別個のカバーであって、前記揚蓋を初回に開封する際に必然的に破壊されるセキュリティ用蓋材を備えており、このセキュリティ用蓋材が破損していなければ、パッケージが事前に開封されていないことを保証でき、この蓋材は前記阻止手段の一部を形成し、前記カバーは前記プレートと連結するための手段を備え、前記カバーが前記プレートに連結されたとき前記パッケージの外部に位置しているので、前記平面壁の領域が前記カバーと前記プレート間に挟まれてなることを特徴とする。
【００１０】
これらの構成により、本パッケージは開封し、所望の回数だけ開閉できる。阻止手段によってアームが閉位置に停止されたままの状態であることで、揚蓋も水密な態様で閉塞される。
【００１１】
好適には、プレートはスナップロックすることによって平面壁におけるオリフィスの縁部に固定される。
【００１２】
これにより、開閉具を平面壁に取り付けて固定することが特に容易となり、また密封性も強化される。
【００１３】
好適には、プレートは実質的に平面壁の内面に対接して支持される。
【００１４】
揚蓋をパッケージの内部に向かって開ける場合は、パッケージ内に僅かなガスが存在しても、揚蓋が閉位置にあるとき、この揚蓋を開閉具の本体部におけるプレートの内面に対してさらに押圧する方向に作用する。これによりガス漏れを防止し、パッケージの密封を確実にすることに貢献する。
【００１５】
本発明は、以下の本発明を限定するものでない実施例で示す実施形態に関する詳細な説明から、良く理解でき、また本発明の利点がさらに明確なものとなるであろう。以下の添付図面を参照しながら説明する。
【図面の簡単な説明】
【００１６】
【図１】本発明に係るパッケージ（カップ）の一部であって、揚蓋を開位置とした開閉具を示す斜視図である。
【図２】図１のＩＩ−ＩＩ線におけるカップと開閉具を示す断面図である。
【図３】揚蓋を閉位置としたカップと開閉具を示す平面図である。
【図４】図３のＩＶ−ＩＶ線におけるカップと開閉具を示す断面図である。
【図５】カップに接した開閉具のスナップロック機構（図４のＲ領域）を示す拡大図である。
【図６】図３のＶＩ−ＶＩ線における開閉具の断面であって、プレートに接したカバーのスナップロック機構を示す拡大図である。
【図７】開閉具の本体部を示す平面図である。
【図８】図７のＶＩＩＩ−ＶＩＩＩ線における本体部の断面図である。
【図９】開閉具のアームを示す斜視図である。
【図１０】図９のＸ−Ｘ線におけるアームの断面図である。
【図１１】本発明の変形例に係る開閉具の本体部を示す斜視図である。
【図１２】本発明の変形例に係る、本体部と開閉具のジョイント部を示す斜視図である。
【図１３】本発明の変形例に係る開閉具の一部であって、カップに接した本体部と、カバーを有する本体部とのスナップロック機構を示す断面図である。
【図１４】本発明の変形例に係るカバーの斜視図である。
【図１５】図５と同様の、本発明に係る開閉具の揚蓋と本体部との間の密閉ジョイント部に関する他の構成を示す図である。
【発明を実施するための形態】
【００１７】
以下に、金属缶に適用した例を参照しながら、本発明について説明する。ただ本発明は、実質的に平坦な平面壁を備え、かつオリフィスが設けられたパッケージであれば、他のものにも適用できる。
【００１８】
図１〜図４は、本発明に係る開閉具が金属缶（図示せず）のカップ１０に載置されている状態を示している。このカップ１０は実質的に円形であって、平面壁１５は周縁リム１２で包囲されている。カップにおける周縁リム１２は、例えば金属缶の標準的なカップのリムと同一であり、開閉具１が取り付けられたカップ１０は、あらゆる金属缶の製造過程で付加できる。カップ１０の平面壁１５は、内縁１９で画成されたオリフィス１３を設けている。このオリフィス１３は楕円形とし、カップの中央からリム１２近辺に半径方向に延在する。
【００１９】
図１及び図２は、開閉具１が部分的に開位置にある状態を示している。開閉具１はプレート２０を有する本体部２を備えており、このプレート２０はプレート２０の縁部２５で画成された孔３０を中央部に有する。本体部２は、図７及び図８にも示している。また本体部２は揚蓋４０も備えており、本体部２と一体成型、すなわち揚蓋４０がプレート２０との連続体となっている。したがって、本体部２は一体成型で作製でき、これにより揚蓋４０をプレート２０とは個別に作製するよりも迅速かつ安価に利用できるという商業的な利点が得られる。本体部２は、例えばポリマーで作製される。
【００２０】
揚蓋４０は可撓性を有するように成型された薄肉部４１によってプレート２０に連結され、プレート２０の周囲に位置する。したがって、この薄肉部４１はヒンジとなる。揚蓋４０は周縁部４７の底部４２を備えており、この底部４２の中央に円筒壁４５が取り付けられる。
【００２１】
揚蓋４０が開位置にあるとき、この揚蓋４０は金属缶内に入り込んでいる。
【００２２】
図４は揚蓋４０が閉位置にある状態を示している。薄肉部４１は完全に折り畳まれている。円筒壁４５の半径方向における外面はプレート２０の縁部２５の半径方向における内面上に亘って閉じているので、円筒壁４５は隙間無く実質的に孔３０内に嵌入している。したがって、これにより密封性が得られ、金属缶内の液体を流出させないことに寄与している。
【００２３】
図５は図４の一部を拡大したものであり、揚蓋４０とプレート２０の嵌着状態を詳細に示している。このように嵌着しているとき、揚蓋４０の周縁部４７は孔３０を取り囲むプレート２０の金属缶の内部側へ指向する下面２７に支えられている。これらの図に示すケースでは、実際には周縁部４７は下面２７の第一溝２９１内に入り込んだ第一ジョイント部９１に支えられている。周縁部４７とジョイント部９１との間の接触帯域は孔３０を完全に取り囲んでいる。これにより揚蓋４０とプレート２０間の密封性が得られ、金属缶内の液体を流出させないことに寄与している。また金属缶の内容物が発泡性・気泡性の液体である場合、このガスが揚蓋４０をプレート２０を押圧するのに寄与する。周縁部４７によって第一ジョイント部９１に印加される圧力が上昇し、このことは揚蓋４０とプレート２０間の密封性を向上させるのに寄与する。
【００２４】
あるいは、プレート２０の一部を断面で示した図１３に示すように、第一ジョイント部９１は、孔３０を囲い込むプレート２０の縁部２５と共に第一溝２９１も覆っている。第一ジョイント部９１は、縁部２５の半径方向における内面上に亘って延在し、この半径方向における内面の縁部全体をその高さの一部に亘って覆っている。
【００２５】
第一ジョイント部９１は第一溝２９１の底部と側部を埋めているが、この第一溝２９１の中央領域を完全に埋めているわけではないので、第一ジョイント部９１の上面が全周に亘って環状の凹部９１５を有している。この環状の凹部９１５は、第一ジョイント部９１の外壁９１６によって半径方向における外側で界接され、その頂部は下面２７と実質的に面一となっており、プレート２０の縁部２５を覆う第一ジョイント部９１の部分によって形成された内壁９１４によって半径方向における内側で界接されている。
【００２６】
したがって、この環状の凹部９１５はスロートとなり、ここに揚蓋４０の周縁部４７が入り込んで、揚蓋４０とプレート２０間の良好な密封を可能にしている。
【００２７】
さらに、円筒壁４５と周縁部４７との間に位置しており、揚蓋４０が再閉塞されたときプレート２０の縁部２５と対向する揚蓋４０の環状領域が形成されるので、揚蓋４０がプレート２０の縁部２５を覆う第一ジョイント部９１の部分に亘って閉鎖する。このようにして、縁部２５を覆う第一ジョイント部９１の部分は、円筒壁４５が孔３０に係入するとき、円筒壁４５と周縁部４７との間に挟まれるので、揚蓋４０とプレート２０間の密封性が強化される。また揚蓋４０が大きな表面に亘って第一ジョイント部９１と接触するので、揚蓋４０は金属缶内のガスによる圧力の影響を受けても捻れが発生し難い。
【００２８】
以下、プレート２０をカップ１０に固定する構成を説明する。
【００２９】
プレート２０は、上面２６に第一タブ群２９を備えており、これらのタブ群２９は孔３０の周りに位置し、上面２６に対して直角に伸びている。第一タブ群２９はオリフィス１３と同一形状の配置に沿って位置し、オリフィス１３よりも僅かに小さな寸法であるので、プレート２０がカップ１０における平面壁１５上に配置されると、第一タブ群２９はオリフィス１３の中へ入り込む。
【００３０】
第一タブ群２９の各個は、半径方向における最外面上において、これら第一タブ群２９に沿って円周方向に延在するビード２９５を有している。第一タブ群２９の配置とビード２９５の（半径方向の）厚さは、これら第一タブ群２９がオリフィス１３の中に強制的に入れ込まれるときに、平面壁１５の内縁１９がビード２９５を押し戻すと第一タブ群２９がオリフィス１３の中心に向かって半径方向に変形する態様で設定される。次にプレート２０は、第一タブ群２９によってスナップロックするので、カップ２０上に固定される。図７に示すように、第一タブ群２９はオリフィス１３の全周に亘ってプレート２０上に分布しているので、このような全周に亘って前述のスナップロックが実質的に均一に分布している。プレート２０の（下面２７に対向する）上面２６とビード２９５間の距離は平面壁１５の厚さに等しいので、前述のスナップロックした後で上面２６はビード２９５によって平面壁１５の内面１７に支えられた状態で維持される。
【００３１】
上面２６は全周に亘って、第一タブ群２９を取り囲む第二溝２９２を備えている。
【００３２】
上面２６における第二溝２９２に第二ジョイント部９２が入れ込まれ、この第二ジョイント部９２の部分９２５が第二溝から突出しているので、部分９２５は、プレート２０がカップ１０に固定すると、内面１７に接触するようになる。内面１７と、この面に対接して支えられるジョイント部９２との間の接触帯域は完全にオリフィス１３を囲い込む。これにより、平面壁１５とプレート２０間の密封性が得られ、金属缶内の液体の流出を防止されることに寄与している。さらに、金属缶の内容物がガスを含有する液体である場合、このガスは平面壁１５の内面１７に向かってプレート２０を押圧するのに寄与する。内面１７によって第二ジョイント部９２に印加された圧力が増大し、これはプレート２０と平面壁１５との間の密封性が向上するのに寄与する。
【００３３】
第二ジョイント部９２における部分９２５は、例えば２つの全周性突出物であって、これらは、図５及び図６に示すように、内面１７に対向した第二ジョイント部９２の（上）面上に延在する。これらの突出物は、プレート２０がカップ１０に固定されると、内面１７に対して押し付けられ、密封を確実なものとする。
【００３４】
あるいは図１２に示すように、第二ジョイント部９２は横断面を実質的にＶ字型としたリングであっても良い。このＶ字における二叉の端部はそれぞれリップ（第一リップ９２１及び第二リップ９２２）を形成し、これら２つのリップは第二ジョイント部９２の部分９２５をなし、この部分９２５が溝２９２から突出している。第二ジョイント部９２は図１３にも示している。
【００３５】
また溝２９２は、第二ジョイント部９２のない状態で図１１に示している。
【００３６】
プレート２０がカップ１０に固定されると、リップ９２１及び９２２は、互いに離れるにつれて、内面１７に対して押し付けられる。このような押し付けの最中に、第二ジョイント部９２の中央部、すなわち第一リップ９２１と第二リップ９２２間の空間に存在する空気がこの空間から排出されるので、第二ジョイント部９２が内面１７に対する吸盤として作用する。このような吸盤効果が第二ジョイント部９２を内壁１７に対して一層強く付着させることに寄与しているので、プレート２０と平面壁１５間の密封性が強化される。
【００３７】
上述のようにＶ字型の横断面を有する環状のジョイント部が平坦な表面に押し付けられると、２つのリップで吸盤として作用できるので、ジョイント部は、以下に説明するカバーを備えずとも、本発明の目的を達成するシステムとは異なる構成の開閉システムとして、密封を確実にするために利用できる。
【００３８】
好適には、本体部２、第一ジョイント部９１、第二ジョイント部９２で構成される構体は、本体部２を構成する硬質ポリマーと、前記ジョイント部９１及び９２を構成する可撓性エラストマーを同時に射出成型することにより作製できる。
【００３９】
この開閉具１は、図１、図２、図３、図４、図９、図１０に示すように、アーム５０も備える。
【００４０】
このアーム５０は、一端においてグリップ５６で終端し、他端において円形のロッド５３を有するバー５４を備えている。揚蓋４０は、揚蓋４０の底部４２から直角に延在し、円筒壁４５によって取り囲まれたクリップ４３を備えている。ロッド５３はクリップ４３においてスナップロックし、薄肉部４１によって形成されるヒンジの旋回軸に平行な軸に沿って旋回連接部を形成する。アーム５０のバー５４の幅（この中心軸の方向に沿った寸法）はプレート２０における孔３０の幅に満たないので、バー５４は孔３０を自在に通過できる。なおグリップ５６の幅は孔３０の幅よりも大きくしている。
【００４１】
アーム５０は射出成型により例えばポリマーで作製されるので、単位当りの製造コストが最小限度に抑えられる。
【００４２】
また開閉具１は、本体部２及びアーム５０とは別個のものとしてカバー８０を備えている。このカバー８０は、凹面８５及び凸面８６を有する、内側に湾曲した殻の形状である。カバー８０はリム８７によって界接され、また凹面８５に対して実質的に直角で凹面８５から延在するタブ８８を備えている。カバー８０は、カップ１０の平面壁１５の外面上に位置決めされ、オリフィス１３を介してプレート２０の上面２６から延在する、プレート２０における第二タブ２８にスナップロックするタブ８８を使ってプレート２０上に組み立てられる。第二タブ２８へのタブ８８のスナップロックは、歯形を有するこれらのタブの端部の高さで実行される（図６）。したがってタブ８８は、カバー８０をプレート２０に連結させるための手段となる。
【００４３】
図７に示すように、第一タブ群２９及び第二タブ群２８は、プレート２０上で孔３０の周囲に交互に分布しており、第二タブ群２８のこのような分布により、確実にカバー８０とプレート２０間のスナップロックが孔３０の外縁全体に亘って実質的に均一に分布することになる。
【００４４】
タブ群８８はリム８７の高さよりも低いので、タブ群８８と第二タブ群２８がスナップロックされると、リム８７がカップ１０の上面１６を押し付け、カバー８０と本体部２０の組み合わせをロックして安定させる。したがってカップ１０における平面壁１５の（オリフィス１３周囲における）領域がカバー８０とプレート２０間に挟まれる。
【００４５】
カバー８０はＵ字型としている。したがってカバー８０の中心部は一方側で開放したＵ字型の有底・非貫通の穴である。この穴は、凹面８５を超えて凸面８６から実質的に凹面８５と直角に延在する中央スリーブ８１によって画成されている。この中央スリーブ８１の幅は、プレート２０の孔３０の幅と実質的に等しく、カバー８０とプレート２０が組み立てられると、中央スリーブ８１は、中央スリーブ８１が開放となっている側を例外として、孔３０の縁部２５と実質的に心合した状態で位置している。この開放側は薄肉部４１が位置しているよりも上方の側である。したがって、開閉具１が再閉塞されると、アーム５０は揚蓋４０の部分と薄肉部４１の部分よりも上方で折り返され、次いでカップ１０における平面壁１５の一部がアーム５０と揚蓋４０間に位置する。アーム５０は、アーム５０の上面がカバー８０の凸面８６と心合し、Ｕ字の頂部を例外として（図４に示すように）カバー８０の中心部の空間を満たすまで、折り返すことができる。したがって、開閉具１の部分はカップ１０のリム１２よりも上に突出することが一切ないので、金属缶に対する容積の追加分は最低限度に抑えられる。
【００４６】
またカバー８０は成型によって例えばポリマーで作製されるので、単位当りの製造コストを最低限度に抑えられる。
【００４７】
変形例として、プレート２０をカップ１０上にまたカバー８０をプレート２０上にスナップロックして組み立てることは以下に説明するように実施できる。
【００４８】
図１１及び図１２に示すように、プレート２０の上面２６における第一タブ群２９（前述の説明を参照）は、繋がった状態になるよう互いの方向に拡大してスナップロック用のビード１２９を形成する。カバー８０と共にスナップロックする作用を奏するプレート２０の第二タブ群２８は不要とできる。スナップロック用のビード１２９は、カバー８０の中央スリーブ８１が開放されている側を除き、実質的に孔３０の全周に亘って円周状に延在している。プレート２０がカップ１０の平面壁１５に配置されると、壁部２９はオリフィス１３の中に入れ込まれる。
【００４９】
スナップロック用のビード１２９は、半径方向における最外面に、このスナップロック用のビード１２９全体に沿って円周状に延在する第一ビード２９５を備えている。スナップロック用のビード１２９の配置と第一ビード２９５の（半径方向における）厚さは、スナップロック用のビード１２９がオリフィス１３の中に入れ込まれると平面壁１５の内縁１９が第一ビード２９５を押し戻すのでスナップロック用のビード１２９がオリフィス１３の中心部に向かって半径方向に変形するような態様で、設定される。このため、スナップロック用のビード１２９を介してスナップロックすることによってプレート２０はカップ１０上に固定される。スナップロック用のビード１２９が実質的に内縁１９の全周に沿って延在していることにより、プレート２０をカップ１０上に堅固に組み立てることが可能となる。
【００５０】
スナップロック用のビード１２９は、上面２６に対して直角に第一ビード２９５を超えて、第二ビード２９８を備える延長部の分だけ延在しており、スナップロックのビードは孔３０周りにおけるこの延長部の実質的に全長に亘って延在している。この延長部は、スナップロック用のビード１２９の基部よりも僅かに孔３０寄りに位置しているので、スナップロック用のビード１２９を自在にオリフィス１３の中に入れ込むことができる（図１３）。
【００５１】
カバー８０はタブ８８を有し、これらのタブ８８は、カバー８０の凹面８５に対して実質的に直角に凹面８５から延在している。タブ８８の端部は半径方向における内面上に溝８８８を有しており、カバー８０がプレート２０に固定されると溝８８８が第二ビード２９８とスナップロックとなるので、カバー８０がプレート２０に連結される（図１３及び図１４）。タブ８８は略繋がった状態になるよう互いの方向へ拡大されているので、カバーがプレート２０とさらに堅固に連結する。
【００５２】
次に開閉具１の機能に関して、図１、図２、図３、図４を参照して以下に説明する。
【００５３】
開閉具１を初めて開ける前に、アーム５０は上述のとおり折り畳まれている。カバー８０には、初めて開ける前の状態の開閉具１を示す図３及び図４において示される舌片１００が付属している。この舌片１００は実質的にカバー８０の凸面８６の延長部内に位置しており、アーム５０のバー５４を覆い、グリップ５６は覆っていない。舌片１００は部分的又は全体的に中央スリーブ８１（すなわちカバー８０における中央のＵ字型の領域）を覆っている。舌片１００はフックシステムでカバー８０に連結されている。このフックシステムは、初めて開閉具１を開ける際に破壊されて、元通りに復帰できない構成としている。フックシステムは、舌片１００の周縁に亘って分布する４つのリンク１０４を備えており、それぞれのリンクは舌１００の縁部と、舌１００の縁部が僅かなスペース分だけ離れている中央スリーブ８１との間のブリッジを形成している。
【００５４】
舌片１００及び４つのリンク１０４は、カバー８０と共に一体成型することにより、例えばポリマーで作製されるので、単位当りの生産コストを最小限度に抑えることができる。
【００５５】
舌片１００、この舌片とカバー８０を連結するリンク１０４、及びフックシステムはセキュリティ用蓋材を形成しており、この蓋材が破損していない状態であれば、金属缶は事前に開封されていないことが保証される。このセキュリティ用蓋材は閉塞位置におけるアーム５０の阻止手段の一部を形成している。
【００５６】
また、セキュリティ用蓋材に関する他の構成も実施可能である。
【００５７】
開閉具１を初めて開いて金属缶の内容物を消費するために、アーム５０がグリップ５６で引き上げられ、これと同時にリンク１０４が破損されて舌片１００が引き上げられ、以降は無効となる。
【００５８】
次にアーム５０を引き上げる。アーム５０のバー５４は、このバー５４から横方向に延在する２つのピン５２（図９に示す）を備えている。これらのピン５２は、中央スリーブ８１に沿った凸面８６から（この面に対して直角に）延在する、本体８０の溝８２内に挿入される構造である。ピン５２が溝８２内に挿入されると、アーム５０のグリップ５６が凸面８６に対して支持され、揚蓋４０は開位置で停止される。したがって溝８２及びピン５２は、開位置におけるアーム５０を停止する阻止手段を構成している。なお開位置においてアーム５０を停止する他の手段も実施可能である。
【００５９】
アーム５０のグリップ５６の幅（薄肉部４１で形成されるヒンジの旋回軸方向の寸法）は中央スリーブ８１の幅よりも広くしているので、アーム５０が金属缶内に落下しないようにし、後で金属缶を閉めやすくしている。溝８２は、ピン５２が溝８２内に入れ込まれるとアーム５０がプレート２０に対して実質的に直角となる態様で位置しているので、揚蓋４０の最大開口が保証される（例えば、溝８２はＵ字（中央スリーブ８１の穴）の頂部に最も近い距離の３分の１の箇所に位置している）。このため、スリーブ８１を通過する液体の流量は最適なものとなる。
【００６０】
孔３０は楕円形としており、カップ１０におけるオリフィス１３の形状と実質的に同一となっているが、これよりも小さめの寸法としている。このような形状のため、アーム５０が開位置にあるときにアーム５０の前（Ｕ字型の中央スリーブ８１の頂部の領域、すなわちカップのリム１２に最接近した箇所）で中央スリーブ８１のうち十分な部分が離れて、利用者が消費するのに好都合な流量で金属缶内の液体が流出できるようになる。
【００６１】
開閉具１を再閉塞するために、ピン５２は溝８２から離され、Ｕ字の中央領域において、アーム５０はカップ１０の平面壁１５における外面１６に対接するように折り返される。次にカバー８０はアーム５０を離れたままにしておく。中央スリーブ８１は両面（Ｕ字の両側）に２つの鋸歯状の切込み８１２を備えており、これらの切込み８１２は中央スリーブ８１を僅かに超えて互いの方向へ延在している。これらの切込み８１２は凸面８６の近傍に位置している（図２及び図３）ので、上述したように又は最初の開放前にアーム５０が折り返されるとき（図３及び図４）、中央スリーブ８１の幅よりも僅かに小さな幅であるバー５４は切込み８１２を超えて（下方に）位置して切込み８１２とスナップロックされる。切込み８１２は、例えばＵ字の開放側（薄肉部４１の上方）に極力接近して位置しているので、アーム５０を切込み８１２から離すのに必要とされる作用は最高のものとなる。揚蓋４０及びアーム５０は、カバー８０に連結された切込み８１２によって水密の閉塞位置に閉塞され、これらの切込み８１２はアーム５０を水密の閉塞位置で保持する手段を構成している。またこれらの阻止手段は、開閉具１を最初に開く前（上記を参照）でもセキュリティ用蓋材と共に使用される。
【００６２】
カバー８０に連結された状態のアーム５０を閉位置に保持する他の手段も実施可能である。
【００６３】
あるいは阻止手段を本体２及びアーム５０にのみ位置させることもできる。
【００６４】
プレート２０に関する、また図１１ないし図１４に示しかつ先に説明したカバー８０に関する変形の実施形態では、カバー８０の中央スリーブ８１が開放している側を例外として、スナップロック用のビード１２９は実質的に孔３０の全周に亘って延在しており、アーム５０が折り畳まれる（開閉具が閉位置にある）とアーム５０のバー５４の通過が可能となる。
【００６５】
カバー８０がプレート２０に連結されると、中央スリーブ８１によって形成されたＵ字の二叉（図１４）における半径方向の外面は、スナップロック用のビード１２９の端部を形成する２つの面１２７（図１２）上に静止する。これらの端面１２７は互いに対向して、すなわち中央スリーブ８１の両側かつ外側に位置しているので、中央スリーブ８１のＵ字の二叉を所定の位置に保持するのに寄与している。
【００６６】
したがって、アーム５０が中央スリーブ８１における２つの切込み８１２内にスナップロックすると、中央スリーブはこのスナップロックに対する強力な耐性を示す。これは、端面１２７に静止している中央スリーブ８１のＵ字型の二叉が離れるのをスナップロック用のビード１２９が防止しているからである。このため、本発明に係る開閉具１を閉位置にロックすれば、さらに効果的なものとなる。
【００６７】
閉位置における開閉具１の密封は、アーム５０におけるこれらの阻止手段によって保証される。また円筒壁４５とプレート２０の縁部２５における内面と間の密着をなす密封手段並びにジョイント部９１及び９２によっても保証される（既述）。
【００６８】
また密封手段については他の構成も採用できる。
【００６９】
例えば、揚蓋４０の周縁部４７全体は、孔３０を取り囲むプレート２０における下面２７に対接して支持される、可撓性を有する素材（例えばエラストマー）で作製された円周状の舌片で構成される。揚蓋４０の残部はより剛性のあるポリマーで作製される。この構成では、第一ジョイント部９１及び第一溝２９１は、可撓性を有する周縁部４７が内面２７の平坦な部分に接して支持され、揚蓋４０とプレート２０間のさらに良好な密封性を確実なものとする態様で、省略されている（図１５）。
【００７０】
本発明に係る開閉具１のために、水密の態様で所望の回数だけ金属缶を開閉できるので、金属缶の内容物の損失を回避し、消費していない間に物性を失うこともなく何度もこの内容物を消費することができる。
【００７１】
開閉具１を構成する３つの要素（本体２、アーム５０、カバー８０）は簡単に連続してスナップロックすることによって組み立てられる。すなわち、本体２のプレート２０はカップ１０のオリフィス１３における内縁１９に対してスナップロックする。次いで、本体２の揚蓋４０がプレート２０の方へ折り返されると、アーム５０は、アーム５０のバー５４をプレート２０の孔３０に通すことによって揚蓋４０に対してスナップロックする。アーム５０がカップ１０の外面１６に対接するように折り返されると、カバー８０はプレート２０に対してスナップロックし、アーム５０はカバー８０によってＵ字型の中央に位置している。
【００７２】
開閉具１は容易に、しかも最低限のコストで金属缶に作製され組み立てられ得る。
【００７３】
同様に、開閉具１は、本発明に係るパッケージを構成するために、任意のパッケージの平面壁に作製され組み立てられ得る。
【符号の説明】
【００７４】
１…開閉具
２…本体部
１０…カップ
１２…リム
１３…オリフィス
１５…平面壁
１６…外面
１７…内面
１９…内縁
２０…プレート
２５…縁部
２６…上面
２７…下面
２８…第二タブ群
２９…第一タブ群
３０…孔
４０…揚蓋
４１…可撓性を有して成型された薄肉部
４２…底部
４３…クリップ
４５…円筒壁
４７…周縁部
５０…アーム
５２…ピン
５３…ロッド
５４…バー
５６…グリップ
８０…カバー
８１…中央スリーブ
８２…溝
８５…凹面
８６…凸面
８７…リム
８８…タブ
９１…第一ジョイント部
９２…第二ジョイント部
１００…舌片
１０４…リンク
１２７…端面
１２９…スナップロック用のビード
２９１…第一溝
２９２…第二溝
２９５…第一ビード
２９８…第二ビード
８１２…切込み
８８８…溝
９１４…内壁
９１５…環状の凹部
９１６…外壁
９２１…リップ
９２５…第二ジョイント部の部分
【図１】
0005448233.tif 000002
【図２】
0005448233.tif 000003
【図３】
0005448233.tif 000004
【図４】
0005448233.tif 000005
【図５】
0005448233.tif 000006
【図６】
0005448233.tif 000007
【図７】
0005448233.tif 000008
【図８】
0005448233.tif 000009
【図９】
0005448233.tif 000010
【図１０】
0005448233.tif 000011
【図１１】
0005448233.tif 000012
【図１２】
0005448233.tif 000013
【図１３】
0005448233.tif 000014
【図１４】
0005448233.tif 000015
【図１５】
0005448233.tif 000016